(57)【要約】【課題】  あらゆる被服の長さや幅などの寸法、形状、デザインを任意に微調整することができる被服であって、着用者の体形の変化や好み又は他人の着用に合わせて微調整することができ被服を提供すること。【解決手段】  形状記憶物質から成る薄いシート状の形状記憶シートと、天然繊維又は合成繊維から成る被服とを具備する形状記憶シート付き被服であって、形状記憶シートが、被服の裏地又は中間素材に用いられて縫合されていることに特徴を有する形状記憶シート付き被服。【選択図】図１
2019189956.tif 000002
【特許請求の範囲】
【請求項１】
形状記憶物質から成る薄いシート状の形状記憶シートと、
天然繊維又は合成繊維から成る被服と
を具備する形状記憶シート付き被服。
【請求項２】
前記形状記憶シートが、前記被服の裏地又は中間素材に用いられて縫合され又は接合されていることに特徴を有する請求項１に記載の形状記憶シート付き被服。
【請求項３】
前記形状記憶シートは、常温状態においては任意に変形させてその形状を保つことができ、高温５０℃乃至１００℃においては、元のシート状態又は一定の形状にもどることに特徴を有する請求項１乃至２いずれか１項に記載の形状記憶シート付き被服。
【請求項４】
前記形状記憶シートが、一定の形状、大きさ、厚さに加工されており、その形状に適合する被服の１以上の各部所に裏地又は中間素材として縫合されていることに特徴を有する請求項１乃至３いずれか１項に記載の形状記憶シート付き被服。
【請求項５】
前記形状記憶物質は、形状記憶ポリマー及び／若しくは形状記憶合金であることに特徴を有する請求項１乃至４いずれか１項に記載の形状記憶シート付き被服。
【発明の詳細な説明】
【技術分野】
【０００１】
本発明は、被服の長さ・幅・形状等を調節するための物質に係り、特に被服の裏地等に形状記憶物質シートを用いて衣服の形状・長さ・幅・デザイン等を調節することができる被服に関する。
【背景技術】
【０００２】
一般的に、被服の中の衣服は、着用する人の体形に合わせてサイズを選択し、長さや幅等を測定して作成される。例えば、スーツなどは、着用者の背丈、肩幅、腕の長さ、上半身の寸法等に合わせて背広（上着）が作成され、同様に着用者の足の長さ、腰回り（ウエスト）、股上、股下の長さ等に合わせてズボンが作成される。
【０００３】
女性用のドレス等にしても同様である。
【０００４】
しかし実際は、被服店（衣料品店）に飾られている被服や在庫の被服など既に一定サイズごとに制作されたたくさんの被服のうち、着用者の体形に最も近いと判断される被服を簡易的に選択し、その選択された被服の例えばズボンの長さ、ウエストの長さ、袖丈の長さ等を微調整又は寸法直し等を施して、着用者の体形に修正されて着用されることが多い。
【０００５】
また、特に女性用のドレス等の被服においては、サイズだけではなく、形状デザインを重要視する顧客の要望に合わせて被服のデザインそのものを修正することも多い。
【０００６】
このように、被服の場合、着用する個人の体形や好み・要望に応えて逐次寸法修正などがなされて着用されているため、まったく同様な体形を有する場合を除き、他人が着用することはむずかしい。例えば、着用者に合わせて作られた被服を、着用者以外の兄弟姉妹や親子が借用して着用したい場合など要望は多いにもかかわらず、大きさ、長さ、幅等の修正が困難なため断念することが多い。
【０００７】
また、着用者の被服そのものであっても、特に女性のドレス等に代表されるように、被服の一定のデザインが流行から外れてしまったり、デザインに飽きてしまったりした場合などは、その修正や仕立て直しに費用が掛かりすぎるため、その被服の着用を断念する場合も多い。
【０００８】
たとえば、特許文献１では、ズボンのウエスト幅を特定の器具を装着することによって任意に調節するための技術思想が開示されている。確かに、ウエストが年冷等を重ねるに従い大きくなることは頻繁にあり、便利な技術思想である。
【０００９】
しかし、特許文献１の技術思想のような器具をズボン等のウエスト部に装着することは、ズボン等を着用した場合、着用者には装着部に違和感があるし、器具の重さ等不都合を感じる場合も多い。また、同様の器具はズボンやスカートなどの特定の被服には有効であるが、他の被服のあらゆる部分の寸法変更やデザイン変更には適用できず、根本的な解決策を提示したことにはなっていない。
【００１０】
また特許文献２では、被服の上着の肩部分の裏地にテンションをかけたシャーリングテープを施し縫着する技術思想が開示されている。しかし、この技術によれば、上着の肩部の型崩れの防止や、着用者の肩部形状に適合する被服の製造には効果が期待されるが、寸法修正や仕立て直しにおいては大きなコストアップとなる。また、寸法修正等においてシャーリッグテープを施すことが逆に妨げになる可能性があり、これについては言及されていない。
【先行技術文献】
【特許文献】
【００１１】
【特許文献１】特許第３９０９４８１号
【特許文献２】特許第５４２０５２４号
【発明の概要】
【発明が解決しようとする課題】
【００１２】
これまでの技術もしくは技術的思想では、あらゆる被服の長さや幅などの寸法、形状、デザインを任意に微調整することができる被服であって、着用者の体形の変化や好み又は他人の着用に合わせて微調整することができない。あらゆる被服の長さや幅などの寸法、形状、デザインを任意に微調整することができる被服であって、着用者の体形の変化や好み又は他人の着用に合わせて微調整することができる被服を提供することが本発明の課題である。
【００１３】
このような被服が存在すれば、同じ被服を例えば兄弟姉妹、親子などが共用することができ、経済的にも大きなメリットがある。また被服の寸法等の微調整のために仕立て直し等の費用を大きく削減することができる。このような便利な被服を提供することが本発明の課題である。
【課題を解決するための手段】
【００１４】
かかる課題を解決するため、本発明に係る形状記憶シート付き被服は、形状記憶物質から成る薄いシート状の形状記憶シートと、天然繊維又は合成繊維から成る被服とを具備して構成される。
【００１５】
前記形状記憶物質は、形状記憶ポリマー及び／若しくは形状記憶合金であることに特徴を有する。
【００１６】
前記形状記憶シートは、形状記憶ポリマー及び／若しくは形状記憶合金を略０．１ｍｍから１ｍｍの厚さのシート状態に成形したものである。形状記憶ポリマーは、ポリノルボルネン、トランスポリイソプレン、スチレン−ブタジエン共重合体、ポリウレタン等、ポリエステル系、ポリオレフィン系、アクリル系、合成ゴム系等の合成樹脂である。また、形状記憶合金は、チタンとニッケル合金や、鉄−マンガン−ケイ素合金、銅−ニッケル−アルミニウム系、コバルト−ニッケル−アルミニウム合金系等の合金であって、同様の厚さに成形されたものである。
【００１７】
本発明に係る形状記憶シート付き被服は、前記形状記憶シートが、前記被服の裏地又は中間素材に用いられて縫合され又は接合されていることに特徴を有する。
【００１８】
これらの形状記憶シートは、布材と比較して若干の硬さを有し、常温において、形状を任意に変形させることができ、その変形した形状を保つことができる。よって、被服の裏地又は中間素材として縫合され又は接合されていることにより、被服の形状や丈、幅等を被服外側から手を使って変形させ又は形状を整え、その形状に保つことができる。
【００１９】
つまり、本発明に係る形状記憶シート付き被服の前記形状記憶シートは、常温状態においては任意に変形させてその変形形状を保つことができ、高温５０℃乃至１００度℃においては、元のシート状態又は一定の形状にもどることに特徴を有する。
【００２０】
常温状態で上記のような変形した形状に保たれた被服は、形状記憶シートとして元の形状に戻すために、約５０℃から１００℃の温度（例えば蒸気等）を与えることによって、元の形状の被服に戻すことができる。
【００２１】
本発明に係る形状記憶シート付き被服は、前記形状記憶シートが、一定の形状、大きさ、厚さに加工されており、その形状に適合する被服の１以上の各部所に裏地又は中間素材として縫合されていることに特徴を有することもできる。
【００２２】
つまり、形状記憶シートは最適な大きさ及び形状に切断加工されて、被服の任意の部分の裏地又は中間素材として縫合させることができる。よって、例えば背広の肩部分の裏地や、ズボンのウエスト回り部分、スカートのウエスト部分、ドレスのウエスト部分、袖部分など、形状を変形させたい任意の部分の裏地又は中間素材として縫合させることができる。
【００２３】
本発明に係る形状記憶シート付き被服であれば、あらゆる被服の長さや幅などの寸法、形状、デザインを任意に微調整することができる被服であって、着用者の体形の変化や好み又は他人の着用に合わせて微調整することができる被服を提供することができる。
【００２４】
本発明に係る形状記憶シート付き被服は、形状記憶シートを縫合し、被服の形状、長さ、幅、デザインを微調整させるための技術思想であり、従来技術を用いた均等方法は全て本発明の技術思想に内包されるものである。
【発明の効果】
【００２５】
本発明によれば、あらゆる被服の長さや幅などの寸法、形状、デザインを任意に微調整することができる被服であって、着用者の体形の変化や好み又は他人の着用に合わせて微調整することができる被服を提供することができる。
【００２６】
このような被服が存在すれば、同じ被服を例えば兄弟姉妹、親子などが共用することができ、経済的にも大きなメリットがある。また被服の寸法等の微調整のために仕立て直し等の費用を大きく削減することができる。
【図面の簡単な説明】
【００２７】
【図１】本発明の一実施形態に係る形状記憶シート付き被服のイメージを示した斜視概念図である。
【図２】本発明の一実施形態に係る形状記憶シート付き被服の形状変更後のイメージを示した斜視概念図である。
【発明を実施するための形態】
【００２８】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００２９】
図１は、本発明の一実施形態に係る形状記憶シート付き被服のイメージを示した斜視概念図である。同図に示すように、例えば女性用のドレス１の左肩下部１０、右肩下部１１及びウエスト部１２には、裏地に形状記憶シート２が斜線部のように縫合されている。単なる接合であってもよい。
【００３０】
図１は、女性用ドレス１について示しているが、被服は男性用のスーツであってもよく、またズボン、スカート、コート、ジャケットであってもよい。また、形状記憶シート２の縫合部は、被服の裏地又は中間部材、中間素材であってもよい。
【００３１】
形状記憶シート２は、縫合される部分の形状、大きさに適合するようなサイズに予め切断されて縫合されればよい。
【００３２】
図２は、本発明の一実施形態に係る形状記憶シート付き被服の形状変更後のイメージを示した斜視概念図である。同図に示すように、例えば女性用のドレス３の左肩下部１３、右肩下部１４及びウエスト部１５には、裏地に縫合された形状記憶シート２が斜線部のように折り曲げられ、形状が変更されている。
【００３３】
形状記憶シート２は、形状記憶ポリマー及び／若しくは形状記憶合金を略０．１ｍｍから１ｍｍの厚さのシート状態に成形したものである。形状記憶ポリマーは、ポリノルボルネン、トランスポリイソプレン、スチレン−ブタジエン共重合体、ポリウレタン等、ポリエステル系、ポリオレフィン系、アクリル系、合成ゴム系等の合成樹脂である。また、形状記憶合金は、チタンとニッケル合金や、鉄−マンガン−ケイ素合金、銅−ニッケル−アルミニウム系、コバルト−ニッケル−アルミニウム合金系等の合金で、同様の厚さに成形されたものである。
【００３４】
形状記憶シート２は、例えば三井化学株式会社の商品名ｓｍｓ−０１であってもよい。
【００３５】
図１に示すドレス１と図２に示すドレス３は、まったく同一のドレスである。裏地に縫合された形状記憶シート２を任意の形状に変形させることによって、図１に示すドレス１は図２に示すドレス３のように形状、長さ、幅、デザインが違うドレスとして生まれ変わることができる。
【００３６】
図２に示されたドレス３は、着用後、例えば５０℃から１００℃の範囲内で形状記憶シート２に予め設定された温度の蒸気などで加熱することによって形状記憶シートは元の形状に戻すことができる。つまり図１に示されたドレス１に戻ることができる。
【００３７】
なお、本発明は上述した実施形態に限定されるものではなく、本発明の主旨を逸脱しない範囲内で種々変更して実施することが可能である。変形を保つ温度、元の状態に戻す温度なども、使用する形状記憶物質の予め設定された温度で対応することができる。被服の種類も、例えば、男性用のスーツであってもよく、またズボン、スカート、コート、ジャケット等のあらゆる被服であってもよい。また、形状記憶シート２の縫合部は、被服のどの部分の裏地又は中間部材、中間素材であってもよい。これらはすべて、本技術思想の一部である。
【００３８】
本発明に係る形状記憶シート付き被服は、着用者の体型や好みに合わせて被服を一時的に変形させるための技術思想であり、従来技術を用いた均等方法は全て本発明の技術思想に内包されるものである。
【産業上の利用可能性】
【００３９】
上述したように、本願に係る発明によれば、あらゆる被服の長さや幅などの寸法、形状、デザインを任意に微調整することができる被服であって、着用者の体形の変化や好み又は他人の着用に合わせて微調整することができる被服を提供することができる。
【００４０】
このような被服が存在すれば、同じ被服を例えば兄弟姉妹、親子などが共用することができ、経済的にも大きなメリットがある。また被服の寸法等の微調整のために仕立て直し等の費用を大きく削減することができる。
【００４１】
したがって、本発明は、被服に用いられるあらゆる素材、用途に対しても、利用・適用可能である。よって、本願は、各種産業に対して大きな有益性をもたらすものである。
【符号の説明】
【００４２】
１  ドレス
２  形状記憶シート
３  ドレス
１０  左肩下部
１１  右肩下部
１２  ウエスト部
１３  左肩下部
１４  右肩下部
１５  ウエスト部
【図１】
2019189956.tif 000003
【図２】
2019189956.tif 000004